(57)【要約】【課題】緩衝材を用いなくても、変化する多様な箱空間としての隙間にも対応でき、安全に内容物を支持して緩衝機能を期待できる緩衝材のいらない輸送箱を提供する。【解決手段】上部が開閉される形式の段ボール等の箱体において、内容物を内部包装するための包装シートを内装するとともに、内部包装が箱体内の密閉空間に覆われるよう包装シートを中央に折り込む起点となる接着部を箱体に設けたことを特徴とする。【選択図】    図１
2020186034.tif 000002
【特許請求の範囲】
【請求項１】
上部が開閉される形式の段ボール等の箱体において、内容物を内部包装するための包装シートを内装するとともに、内部包装が箱体内の密閉空間に覆われるよう包装シートを中央に折り込む起点となる接着部を箱体に設けたことを特徴とする緩衝材のいらない輸送箱。
【請求項２】
包装シートが内容物を中央で包む広さであって、箱底面壁の中央部に包装シートの折り込みの起点となる接着部が形成されていることを特徴とする請求項１記載の緩衝材のいらない輸送箱。
【請求項３】
包装シートが内容物を囲むよう箱胴部壁に沿った環状片であって、箱胴部壁の下端部に沿って包装シートの折り込みの起点となる接着部が環状に形成され、底面中央部に内容物の定着部を設けたことを特徴とする請求項１記載の緩衝材のいらない輸送箱。
【請求項４】
包装シートがクラフト紙であることを特徴とする請求項１，２又は３記載の緩衝材のいらない輸送箱。
【請求項５】
箱体の底面壁の接着部に対応する包装シート上に、内容物が載る緩衝床を敷設してあることを特徴とする請求項１，２又は４記載の緩衝材のいらない輸送箱。
【発明の詳細な説明】
【技術分野】
【０００１】
この発明は、緩衝材無しでも内容物を安全に輸送できるようにした緩衝材のいらない輸送箱に関する。
【背景技術】
【０００２】
近年、パソコンの普及により通販が急激に利用されるようになった。これに伴い通販用の段ボール容器が多く使用されている。通販にはユーザーからの注文に応じ、種類やいろんな組合せが多いため、出荷に当たっては段ボールと内容物の間に隙間が変化して生じることが多いため、その時には隙間を幾つかの緩衝材で埋め、適数の緩衝材で内容物を固定し輸送していた。
【発明の概要】
【発明が解決しようとする課題】
【０００３】
しかし、緩衝材は使用後の廃棄に手間が掛かるとともに、環境汚染等のごみ問題もあることが指摘されている。
【０００４】
そこで、この発明は、緩衝材を用いなくても、変化する多様な箱空間としての隙間にも対応でき、安全に内容物を支持して緩衝機能を期待できる緩衝材のいらない輸送箱を提供することを課題とした。
【課題を解決するための手段】
【０００５】
上記の課題を解決するために、この発明は、上部が開閉される形式の段ボール等の箱体において、内容物を内部包装するための包装シートを内装するとともに、内部包装が箱体内の密閉空間に覆われるよう包装シートを中央に折り込む起点となる接着部を箱体に設けたことを特徴とする緩衝材のいらない輸送箱を提供する。
【０００６】
緩衝材のいらない輸送箱を上記のように構成したから、これを使用するときには、箱体を開いて包装シートを引き出すようにして口開きながらその中に物品を入れて包み込む。この時必要があれば開いた口を閉じて接着し、あるいは粘着テープを張り付けて封じ止める。そうすると、周囲には本来ならば緩衝材を詰めることになる空間が存在するが、包装体で空間が均等に補充されるので内容物が転倒したり移動したりすることはなく、箱体の内面との間に空間が保持されることで、激しい動きの運送中にも内面と衝突することはなく、内容物の破損が安全に防止される。
【発明の効果】
【０００７】
以上説明したように、この発明の緩衝材のいらない輸送箱によれば、内容物の大きさや形状、個数などに応じて広さと柔軟性で包装シートが対応し、内容物を箱内の空間に保持するので、緩衝材を用いなくても、安全に物品を輸送できるため、緩衝材を用いる費用が削減でき、消費者にとっては緩衝材を処分する手数が省けるので好都合であり、最近多用されるようになった宅配便としての利用も合理的であり簡便となるという優れた効果がある。
【図面の簡単な説明】
【０００８】
【図１】この発明の一実施例を示す緩衝材のいらない輸送箱の斜視図である。
【図２】同輸送箱と包装シートとを同時に開く展開図である。
【図３】同輸送箱の使用状態を示す正面から見た断面図である。
【図４】他の実施例を示す斜視図である。
【図５】同実施例における包装シートを示す平面説明図である。
【図６】さらに他の実施例として包装箱と包装シートとを同時に開く展開図である。
【図７】さらに他の実施例による緩衝材のいらない輸送箱を示す斜視図である。
【図８】同実施例の輸送箱を示す側面から視た断面図である。
【図９】同実施例の輸送箱の展開図である。
【図１０】さらに他の実施例を示す輸送箱の斜視図である。
【図１１】他の実施例であって、輸送箱と包装シートとを同時に開く展開図である。
【発明を実施するための形態】
【０００９】
この発明において、箱体１の型式および基材の材質などについては、箱として適合できれば特に限定するものではなく、型式では、Ａ式、Ｂ式、Ｃ式及び打抜き組立箱形状等を適当なものとして挙げることができる。基材については、段ボールはもちろん、合板、プラスチック段ボールなどであり、段ボールとしては、ＡＦ，ＢＦ，ＥＦ，ＡＢＦなど、特に段ボールの種類は限定しない。合板では、紙製やプラスチック製がよい。プラスチック段ボール（プラダン）や気泡樹脂ボード（プラパール）、ｐｐ発砲ボード（Ｐボード）など、板状で折り曲がるものであれば特に限定しない。この場合、何回も使用できる通い箱としての使い方ができるのが好ましい。
【００１０】
包装シート（被覆材）としては、クラフト紙、自己粘着紙、ストレッチフィルムが挙げられる。発泡ポリエチレンシート（商品名ミラマット等）、アルミ蒸着フィルム／発泡ＰＥ，エアーフォーム（商品名ブチブチ）やアルミ蒸着フィルムを張り合わせたもの等、その他シュリンクフィルム等ある。クラフト紙は、特にリサイクル性が優れているので好ましい。自己粘着紙は、粘着面同士が接着するので作業性が良い。ストレッチフィルム、フィルム、カラーフィルムなど、特にストレッチフィルムは包み込むだけで固定できるため粘着テープがいらなく特に好ましい。発泡シートでも蒸着フィルムのラミネート品は、断熱性に優れているので、保冷が必要な内容物に最適である。さらにこれらの素材にエンボス加工したものなど被覆できるものであれば特に限定しない。
【００１１】
包装シートは、風呂敷の原理で、内容物の大小や形状に関わらず、自在に包み込むことができ、箱体の底面中央部に固着されているので、緩衝材がなくとも包装体が崩れることはない。そのため例えばＡ式タイプの小型ではコンパクトのため経済的であり、また、大きな容器サイズにも対応できる。
【００１２】
利用分野については、宅配用の輸送箱として、あるいは、少量多品種の内容物の輸送箱として特に有用である。なお、箱体１と包装シート３との接着については、接着剤、粘着剤、ファスナーテープ等を使用できる（そのほか実施例６参照）。
【実施例１】
【００１３】
図１ないし図３は、一実施例を示したもので、緩衝材のいらない輸送箱Ｐは、段ボール製の箱体１と、風呂敷状に広さをもつ包装シート３との組み合わせとして構成され、両者の間に接着部５が介在している。
【００１４】
図２は、接着部５で一体化した箱体１と包装シート３との同時展開図であって、箱体１は、中央部の底面壁７を中心として左右側壁９，９および前後面壁１１，１１が連設され、前後面壁１１，１１の両側に連結片１３，１３を有する。１５，１５は内フラップ、１７，１７は外フラップであって、これで天壁が構成される。底面壁7は展開の中央部に位置し、そのまた中央部に接着部5が位置するので、包装シート３の中心部をここに当てることにより組合せ位置が確定する（図２）。
【００１５】
図示の如く、箱体１と包装シート３とが重なる展開図であるので、組立てが容易であり、接着部５を中心とする均等性から、この状態において、箱体１を普通の手順において組み立てるとともに、包装シート３をその中に納めることができる。使用に供する時点としての商品化時点は、この段階である（図1）。若しくは展開図の段階である（図２）。
【００１６】
図３は、輸送時の使用形態を示したもので、これを図１の製品段階から説明すると、図示の如く包装シート３を開放的に開き、中心部に接着部５の位置でシート上に内容物４を置き、周囲の四隅角片３ａを折り込んで、重なりを粘着テープ10で止める。ピン止め等でもよく止め方はこれに限らない。
【００１７】
粘着テープ１０で止めて包装シート３で内容物４が固定されると。箱体１との間に有する空間１９が一定に保持される。
【実施例２】
【００１８】
図４、図５はＢ式段ボール箱について実施したもので、箱体１は、底面壁７および蓋壁８がそれぞれ一枚壁である。包装シート３は、左右に分けて折畳８ａ，８ａとなっており、中央部に底面壁７との接着部５が設けられる。使用においては左右にシートが広がるので（図５参照）真ん中に内容物を置いて左右交互に閉じられる。
【実施例３】
【００１９】
図６はさらに別の実施例を示したもので、実施例１のものとは共通し、底面壁７の上に接着部５を介して包装シート３を保有しているが、包装シート３の上には緩衝床３０を敷設した。理由は、機械部品や精密機器、ガラス製品等の壊れやすいものを輸送する際、これらの内容物３２の下に緩衝床３０が敷かれていると、包装シート３で同じように包む込むことで破損防止に万全を期すことができたことによる。緩衝床３０としては、エアーキャップや発泡スチロール等が挙げられる。
【実施例４】
【００２０】
図７ないし図９は、Ａ式段ボール箱において、別の実施例を示したもので、包装シート３を段ボール箱体１の胴部壁1ａの内側に回しに形成し、底面壁７よりも上がった個所に沿って帯状に接着部６を設け、包装シート３を底面壁７よりも上げて接着し立ち上がり様に取り付けた（図７）。なお、こうすると、前記実施例のものに比し立ち上がり分だけシート材料の節約となるとも考えられる。
【００２１】
図８は、内容物４を梱包した使用状態を示したもので、全周にわたって包装シート３が折り込まれることにより乱雑な折り曲げの複合形態となり復元力を保有する弾性集合体１０が形成されることになり、これが内容物４を包み込む結果、運搬中の衝撃が緩和されることになる。また、上に弾性集合体１０と空間４２が生じるため、外気の寒暖の差を受けがたい温度安定性がある。
【実施例５】
【００２２】
図１０は、身２aと蓋２ｂとからなる輸送箱１において実施したもので、胴体部に置けると同様に包装シート３が接着部６を介して立ち上がりに取り付けられる。
【実施例６】
【００２３】
図１１は、包装シート３が内容物を中央で包む広さであって、箱底面壁７の中央部に包装シート３の折り込みの起点となる接着部が形成されている場合について工夫したものであって、接着部が前記実施例とは違って、接着剤や粘着剤、ファスナーテープ等によってもよいが、この実施例では底面壁７と包装シート３との構造的結合関係によるものとした。つまり、箱底面壁７の中央には、仮想四角形の隅角に対応しL字型の切込み９，９，９、９を設けてあり、包装シート３の中央部裏面には切込み９に係る接着部片１２が固着される。
【００２４】
接着部片１２は、例えばハガキ大の矩形であって、これは、前記の如く包装シート３の中央部に固着されており、現場において箱１に包装シート３を取りつける際に、接着剤を用いることなく、底面壁７に接着部片１２をすり合わせるようにしてワンタッチで底面壁７に固着し接着部５ができるようになっている。なお、この発明においては、接着とは面接合による又はこれに近い固定手段を意味するものとする。
【符号の説明】
【００２５】
Ｐ  緩衝材のいらない輸送箱
１  箱
１ａ  胴部壁
３  包装シート
４  内容物
５、６  接着部
７  底面壁
８  定着部
１２  接着部片
３０  緩衝床
【図１】
2020186034.tif 000003
【図２】
2020186034.tif 000004
【図３】
2020186034.tif 000005
【図４】
2020186034.tif 000006
【図５】
2020186034.tif 000007
【図６】
2020186034.tif 000008
【図７】
2020186034.tif 000009
【図８】
2020186034.tif 000010
【図９】
2020186034.tif 000011
【図１０】
2020186034.tif 000012
【図１１】
2020186034.tif 000013